(57)【要約】      （修正有）【課題】受動型光加入者網を介してインターネットプロトコル基盤の放送サービスを提供する。【解決手段】ＩＰ放送サービス加入者により放送チャンネルが選択された場合、ＩＰセットトップボックスが該当チャンネルに対するサービス要請をチャンネル選択メッセージとして光加入者網の加入者装備のＯＮＵ／ＯＮＴに伝送し、ＯＮＵ／ＯＮＴは、放送サーバまたは上位網装備（ルータなど）と連動するＯＬＴに該当メッセージを伝送した後に、メッセージを受信したポート及び該当チャンネルのマルチキャストグループＭＡＣアドレスをマッピングテーブルに格納し、メッセージを受信したＯＬＴがＭＡＣアドレス及び要請した放送チャンネルを抽出し、加入情報でサービスの提供可否を判断し、加入者がサービスに加入してる場合には、放送データを該当ＯＮＵ／ＯＮＴに伝送し、マッピングテーブルを参照して放送データを要請した上記ＩＰセットトップボックスに伝送する。【選択図】図２
2006238433.tif 000002
【特許請求の範囲】
【請求項１】
受動型光加入者網を介してＩＰ基盤の放送サービスを提供するためのシステムであって、
放送データを提供する放送サーバと、
放送チャンネルが選択された場合に、該当するチャンネル選択メッセージを前記放送サーバに伝送するＩＰセットトップボックスと、
前記チャンネル選択メッセージを受信して、ＯＬＴに前記チャンネル選択メッセージを伝送するとともに、前記チャンネル選択メッセージを受信したポートとマルチキャストグループＭＡＣアドレスとをマッピングテーブルに格納し、前記ＯＬＴから放送データを受信した場合に、前記マッピングテーブルを参照して要請した前記ＩＰセットトップボックスに該当する前記放送データを伝送するＯＮＵ／ＯＮＴと、
各ユーザの放送サービス加入情報をデータベース化し、前記チャンネル選択メッセージを受信した場合に、前記放送サービス加入情報に基づいて前記放送サービスの提供が可能であるか否かを判別し、提供可能である場合には、前記放送サーバからの放送データを前記ＯＮＵ／ＯＮＴに伝送する前記ＯＬＴとを備えることを特徴とするシステム。 
【請求項２】
前記ＯＬＴは、前記放送サービスを提供できないと判別した場合に、受信した前記チャンネル選択メッセージを廃棄し、前記ＯＮＵ／ＯＮＴに対して認証されてないことにより前記放送サービスが提供できない旨の非承認メッセージを伝送することを特徴とする請求項１に記載のシステム。
【請求項３】
前記ＯＮＵ／ＯＮＴは、前記非承認メッセージを受信した場合に、前記ポートと要請した放送データ情報をマッピングテーブルから削除するとともに、前記放送サービスが提供不可である旨を前記ＩＰセットトップボックスに通知することを特徴とする請求項２に記載のシステム。
【請求項４】
前記放送サービス加入情報は、前記ＯＮＵ／ＯＮＴのＭＡＣアドレス若しくは８０２．３ａｈ基盤のＬＬＩＤと、前記ユーザが加入した放送チャンネル情報とを含むことを特徴とする請求項１に記載のシステム。
【請求項５】
前記ＯＬＴは、前記放送サーバに対してユーザの前記放送サービス加入情報の出力を要請し、受信した前記放送サーバからの前記放送サービス加入情報を受信して格納することを特徴とする請求項１に記載のシステム。  
【請求項６】
前記ＯＬＴは、ＯＬＴシステムの内部または別途のサーバを介して前記放送サービス加入情報についての加入者情報データベースを構築することを特徴とする請求項１に記載のシステム。
【請求項７】
前記ＯＬＴと前記ＯＮＵ／ＯＮＴとの間に位置する光分配器をさらに含むことを特徴とする請求項１に記載のシステム。
【請求項８】
前記ＯＬＴと前記放送サーバとの間に位置するルータをさらに含むことを特徴とする請求項１に記載のシステム。
【請求項９】
前記ＯＬＴは、前記ＯＮＵ／ＯＮＴの帯域幅を割り当てることを特徴とする請求項１に記載のシステム。
【請求項１０】
前記ＯＮＵ／ＯＮＴは、Ｌ２機能を備えるＩＧＭＰＥスヌーピングを用いて、前記放送サーバから受信した前記放送データを管理することを特徴とする請求項１に記載のシステム。
【請求項１１】
放送データを提供する放送サーバと前記放送データをＯＮＵ／ＯＮＴ及びＩＰセットトップボックスを介してユーザに提供するＯＬＴとを備えた受動型光加入者網を介してＩＰ基盤の放送サービスを提供するための方法であって、
前記ＯＬＴが前記ユーザの放送サービス加入情報をデータベース化するステップと、
放送チャンネルが選択された場合に、前記ＩＰセットトップボックスが、該当するチャンネル選択メッセージを前記ＯＮＵ／ＯＮＴに伝送するステップと、
前記ＯＮＵ／ＯＮＴが、受信した前記チャンネル選択メッセージを前記ＯＬＴに伝送するとともに、前記チャンネル選択メッセージを受信したポートとマルチキャストグループＭＡＣアドレスとをマッピングテーブルに格納するステップと、
前記ＯＬＴが、前記ＯＮＵ／ＯＮＴからの前記チャンネル選択メッセージを受信して、前記チャンネル選択メッセージと前記ユーザの放送サービス加入情報を比較し、前記チャンネル選択メッセージを伝送した前記ＩＰセットトップボックスに該当する放送サービスが提供可能であるか否かを判別するステップと、
前記判別の結果、前記放送サービスが提供可能である場合には、前記ＯＬＴが前記放送サーバから送られてきた前期放送データを該当するＯＮＵ／ＯＮＴに伝送するステップと、
前記ＯＮＵ／ＯＮＴが前記マッピングテーブルを参照して要請した前記ＩＰセットトップボックスに前記放送データを伝送するステップとを含むことを特徴とする方法。
【請求項１２】
前記判断ステップにおいて、前記放送サービスが提供不可である場合には、受信した前記チャンネル選択メッセージを廃棄するとともに、前記ＯＮＵ／ＯＮＴに対し、認証されてないことにより前記放送サービスが提供できない旨の非承認メッセージを伝送するステップをさらに含むことを特徴とする請求項１１に記載の方法。
【請求項１３】
前記ＯＮＵ／ＯＮＴが、前記ＯＬＴから前記非承認メッセージを受信した場合には、前記ポートと要請した放送データ情報を前記マッピングテーブルから削除するとともに、前記放送サービスが提供不可である旨を前記ＩＰセットトップボックスに通知するステップをさらに含むことを特徴とする請求項１２に記載の方法。
【請求項１４】
前記放送サービス加入情報は、前記ＯＮＵ／ＯＮＴのＭＡＣアドレスと加入した放送チャンネル情報とを含むことを特徴とする請求項１１に記載の方法。
【請求項１５】
前記ＯＬＴが前記ユーザの放送サービス加入情報をデータベース化するステップは、前記放送サーバに対して前記ユーザの放送サービス加入情報の出力を要請し、前記放送サーバから前記放送サービス加入情報を受信して格納するステップをさらに含むことを特徴とする請求項１１に記載の方法。
【請求項１６】
前記ＯＬＴが前記放送サービスに対する前記ユーザの放送サービス加入情報をデータベース化するステップは、前記ＯＬＴがシステム内部又は別途のサーバを介して当該放送サービス加入情報についての加入者情報データベースを構築することを特徴とする請求項７に記載の方法。
【請求項１７】
前記ＯＬＴと前記ＯＮＵ／ＯＮＴとの間に位置する光分配器をさらに備えることを特徴とする請求項１１に記載の方法。
【請求項１８】
前記ＯＬＴと前記放送サーバとの間に位置するルータをさらに含むことを特徴とする請求項１１に記載の方法。
【請求項１９】
前記ＯＬＴは、前記ＯＮＵ／ＯＮＴの帯域幅(bandwith)を割り当てるように制御するステップをさらに含むことを特徴とする請求項１１に記載の方法。
【請求項２０】
前記ＯＮＵ／ＯＮＴは、Ｌ２機能を有するＩＧＭＰスヌーピングを用いて、前記放送サーバから受信した前記放送データを管理するステップをさらに含むことを特徴とする請求項１１に記載の方法。
【発明の詳細な説明】
【技術分野】
【０００１】
本発明は、放送サービスを提供するためのシステム及びその方法に係り、特に、受動型光加入者網（ＰＯＮ：Passive Optical Network）を介してインターネットプロトコル（ＩＰ）基盤の放送サービスを提供するためのシステム及びその方法に関する。
【背景技術】
【０００２】
一般に、インターネットプロトコル（ＩＰ）基盤の放送サービスは、加入者に大容量で且つ高速なデータサービス及びリアルタイムのデジタル放送／画像サービスを効率よく提供するために、１００Ｍｂ／ｓ以上のデータ伝送が望まれる。しかしながら、５０Ｍｂ／ｓ程度のデータ伝送率に過ぎない現在のｘＤＳＬやケーブルモデムでは、このような大容量で且つ高速なデータサービス及びリアルタイムのデジタル放送／画像サービスを提供する困難である。このために、大容量で且つ高速なデータサービス及びリアルタイムのデジタル放送／画像サービスが提供可能な高速データ伝送網に関する研究が進められ、これによる方法として光加入者網が提案されている。中でも、経済的であることから、光加入者網を構成する方式として、受動型光加入者網が脚光を浴びている。
【０００３】
このような受動型光加入者網としては、ＡＴＭ（Asynchronous Transfer Mode）基盤のＡＴＭ−ＰＯＮ、ＷＤＭ（Wavelength Division Multiplexing）基盤のＷＤＭ−ＰＯＮ、イーサネット基盤のイーサネット−ＰＯＮなど種々の受動型光加入者網がある。その中でも最も安価で、且つ、一般家庭にまで高速の光伝送サービスを提供するための方法として、イーサネット受動型光加入者網（ＥＰＯＮ）のＦＴＴＨ（Fiber To The Home）構造が提案され、開発されている。
【０００４】
現在、ＩＰ基盤の放送サービスは、放送ＴＶ電波中継所（Headend）に接続可能な衛星受信機の放送信号やコンテンツまたは番組提供者（provider）により提供される放送信号を、ＭＰＥＧ２／４またはＨ．２６４フレームにエンコードして加入者端末に画像（ビデオ）サービスを提供している。サービス加入者は、このような画像データを各家庭のＴＶまたはコンピュータ端末と接続されたＩＰセットトップボックス（ＳＴＢ：Set top Box）を介して視聴したいチャンネルの画像提供サービスを受けることができる。
【０００５】
図１は、従来のＩＧＭＰ（Internet group management protocol）を用いたＩＰ基盤の放送サービスの提供における処理遷移を説明するための図である。なお、以下、ＩＰ基盤の放送サービスは、ＩＰ基盤のＴＶサービスと同様の意味として説明している。
【０００６】
図１に示すように、受動型光加入者網を通じたＩＰ基盤のＴＶサービスでは、コンテンツまたは番組提供者から受信した放送信号が、放送ＴＶ電波中継所としての放送サーバ（Headend）においてＭＰＥＧ２／４ストリームに変換され、Ｌ３またはＬ２級のスイッチ装備であるＯＬＴ（Optical Line Terminal）とＯＮＵ(Optical Network Unit)又はＯＮＴ(Optical Network terminal)により構成された加入者網に接続されたＩＰセットトップボックスとを介して加入者（ユーザ）に提供される。
【０００７】
先ず、ステップＳ１００において、ユーザが特定のチャンネルを選択すると、ＩＰセットトップボックス（ＳＴＢ）は、該当するチャンネル選択メッセージ（ＩＧＭＰ Join message）を放送サーバに伝送する。ＯＮＵ／ＯＮＴがＩＰセットトップボックスから加入者により選択されたチャンネルサービスを要請するためのチャンネル選択メッセージを受信すると、当該ＯＮＵ／ＯＮＴは、これをＯＬＴに伝送した後に、該当するチャンネル選択メッセージを受信したポートとマルチキャストグループＭＡＣアドレスとをマッピングテーブルに格納する（ステップＳ１０２）。その後、ＯＮＵ／ＯＮＴから該当メッセージを受信したＯＬＴは、チャンネル選択メッセージを解析し、放送サーバから送られてくるマルチキャストグループデータ、すなわち、要請した放送データを該当ＯＮＵ／ＯＮＴに伝送する（ステップＳ１０４）。
【０００８】
次いで、ＯＬＴからの放送データを受信したＯＮＵ／ＯＮＴは、マッピングテーブルを参照し（ステップＳ１０６）、該当放送データを要請したポート、すなわち、該当ＩＰセットトップボックスにデータを伝送する（ステップＳ１０８）。
【０００９】
次いで、ＯＮＵ／ＯＮＴから放送データを受信したＩＰセットトップボックスは、ステップＳ１１０において、受信したデータからＭＰＥＧ２／４ストリームを抽出してＴＶまたはＰＣの放送受信カードに伝送する。
【００１０】
また、近年は、衛星ＴＶまたはＣＡＴＶサービス網において、ネットワークの特性上、各加入者に対して全ての放送信号が伝えられるため、サービスプロバイダ（サービス事業者）は、画像チャンネルをそれぞれ暗号化して各加入者に放送信号として伝送し、加入者は、セットトップボックスに取り付けられている認証カード（ＰＯＤモジュール）により加入した放送チャンネルだけを復号化してサービスを受けられるように設計されている（限定受信方式（conditional access scheme）によるサービスを提供する）。
【００１１】
しかしながら、ＩＰ基盤の放送ネットワークの場合は、図１に示すように、加入者認証に関連する制御が行えないＩＧＭＰを介して加入者が選択した放送チャンネルの画像データを提供しているため、加入者別にサービスを制限することが実際には不可能である。また、ＩＰセットトップボックスでは、チャンネルの変更に際し、加入者のサービス権限の照合（アクセス認証）が行われないために、各加入者に提供されるサービス毎による課金を策定すること、すなわち、サービスに応じた異なる料金を課することが困難である。
【００１２】
このような問題を回避するために、既存のＣＡＴＶ方式のように、チャンネル別に暗号化を行い、認証された加入者だけにサービスを提供する技術が提案されている。
【００１３】
しかしながら、チャンネル別に暗号化された画像データを受信するＩＰセットトップボックスは当該暗号化された画像データを復号化しなければならない。このために、ＩＰセットトップボックスにおけるオーバーヘッドが増し、その結果、チャンネルの変更にかかる時間（ザッピングタイム）が長くなり、ユーザの不満を招いてしまう。
【発明の開示】
【発明が解決しようとする課題】
【００１４】
そこで、本発明の目的は、受動型光加入者網を介してＩＰ基盤の放送サービス提供をするシステムであって、放送サービスを要請した加入者の放送サービス加入情報に基づいて、当該放送サービスを制限することが可能なシステム及びその方法を提供することにある。
【課題を解決するための手段】
【００１５】
上記した目的を達成するために、本発明の１つの側面としてのシステムは、受動型光加入者網を介してＩＰ基盤の放送サービスを提供するためのシステムであって、放送データを提供する放送サーバ（Headend）と、放送チャンネルが選択された場合に、該当するチャンネル選択メッセージを放送サーバに伝送するＩＰセットトップボックスと、上記ＩＰセットトップボックスから上記チャンネル選択メッセージを受信して上記ＯＬＴにこれを伝送した後、上記チャンネル選択メッセージを受信したポートとマルチキャストグループＭＡＣアドレスとをマッピングテーブルに格納し、ＯＬＴからの放送データを受信した場合に、上記マッピングテーブルに基づいて（参照して）、要請した上記ＩＰセットトップボックスに該当放送データを伝送するＯＮＵ／ＯＮＴと、ユーザの放送サービス加入情報をデータベース化し、上記チャンネル選択メッセージを受信した場合に、上記チャンネル選択メッセージとユーザの放送サービス加入情報とを比較して該当する放送サービスが提供可能か否かを判別し、上記放送サービスが提供可能である場合には、上記放送サーバからの放送データを上記ＯＮＵ／ＯＮＴに提供する上記ＯＬＴとを備えることを特徴とする。
【００１６】
また、上記した目的を達成するために、本発明の他の側面としての方法は、放送データを提供する放送サーバと上記放送サーバから提供される放送データをＯＮＵ／ＯＮＴ及びＩＰセットトップボックスを介してユーザに提供するＯＬＴとを備える受動型光加入者網を介してＩＰ基盤の放送サービスを提供するための方法であって、上記ＯＬＴが上記ユーザの放送サービス加入情報をデータベース化するステップと、放送チャンネルが選択された場合に、上記ＩＰセットトップボックスが該当チャンネル選択メッセージを上記ＯＮＵ／ＯＮＴに伝送するステップと、上記ＯＮＵ／ＯＮＴが上記チャンネル選択メッセージを受信した場合に、上記ＯＬＴにこれを伝送した後、上記チャンネル選択メッセージを受信したポートとマルチキャストグループＭＡＣアドレスとをマッピングテーブルに格納するステップと、上記ＯＬＴが上記ＯＮＵ／ＯＮＴから上記チャンネル選択メッセージを受信した場合に、上記チャンネル選択メッセージと上記ユーザの放送サービス加入情報とを比較して、チャンネル選択メッセージを伝送した上記ＩＰセットトップボックスに該当する放送サービスが提供可能であるか否かを判別するステップと、上記判別の結果、放送サービスが提供可能である場合には、上記ＯＬＴが上記放送サーバから送られてきた放送データを該当ＯＮＵ／ＯＮＴに伝送するステップと、上記ＯＮＵ／ＯＮＴが上記マッピングテーブルに基づいて、要請した上記ＩＰセットトップボックスに該当する放送データを伝送するステップとを含むことを特徴とする。
【発明の効果】
【００１７】
本発明によれば、受動型光加入者網を介したＩＰ基盤放送サービスを提供するシステムにおいて、ユーザの加入情報に基づいて、ユーザが加入した放送チャンネルに対してのみサービスを提供することが可能になる。
【００１８】
また、既存のＩＰ基盤の放送ネットワークで一般的に用いられているＩＧＭＰの変換無しに、ユーザの加入情報に基づいて提供されるサービスを制限して、当該ユーザが加入した放送チャンネルに対してのみ、ユーザにサービスを提供することが可能になる。このために、各加入者の加入サービスに応じた課金策定が可能となる。
【００１９】
また、従来はチャンネル別に暗号化された各画像データを受信し各々の画像データを復号化するためにＩＰセットトップボックスにおけるオーバーヘッドの増大により引き起こされるチャンネルの変更時間が長大していたが、チャンネル変更に伴うオーバーヘッドを低減させ、当該時間を短縮することが可能となる。このため、ユーザのサービス加入情報の変更に際し、データベースの修正だけでサービスを高速で提供することが可能になる。
【発明を実施するための最良の形態】
【００２０】
以下、添付図面を参照しながら、本発明の好適な実施形態を詳述する。また、下記の説明において、本発明の要旨のみを明瞭にするために、公知の機能や構成についての詳細な説明は省略する。
【００２１】
本発明は、ＩＰ基盤の放送サービスが受動型光加入者網を介して提供される際に、放送サービスを要請した加入者の加入情報に基づいて、放送サービスを制限可能とするためのシステム及びその方法を提供するものである。特に、本発明は、受動型光加入者網のうち、イーサネット基盤の受動型光加入者網（ＥＰＯＮ）を介して提供される様々な放送サービスに対して各ユーザ（加入者）のアクセス（利用制限）を制御する方法、すなわち、放送サービスの加入者別サービス提供を制御するための方法について説明する。
【００２２】
図２は、本発明の実施形態におけるイーサネット基盤の受動型光加入者網を示す図である。
【００２３】
図２に示すように、本実施形態のイーサネット受動型光加入者網は、放送事業者からの放送信号及び通信事業者からの通信信号を受け取って電気−光変換した後に、単一の光信号に束ねて伝送する、ユーザとサービスノードとの間に位置するサブシステムとしてのＯＬＴ（Optical Line Terminal）２２０と、ＯＬＴ２２０から受信した情報をＩＰセットトップボックス２４０を介してユーザに伝送するユーザ側装置としての複数のＯＮＵ（Optical Network Unit）／ＯＮＴ（Optical Network Terminal）２３０と、ＯＬＴ２２０と複数のＯＮＵ／ＯＮＴ２３０を接続する光分配器２５０とを備えている。
【００２４】
また、本実施形態のイーサネット(登録商標)基盤のＰＯＮでは、ＯＬＴ２２０は、放送サーバ２００とＩＰネットワーク００２に接続されるルータを含むように構成されている。
【００２５】
放送サーバ（Headend）２００は、番組提供者（program provider）からの放送信号を各チャンネル別にＭＰＥＧ２／４ストリームまたはＨ．２６４フレームに変換した後に、ＩＰパケットによりカプセル化して放送データとして伝送する。なお、該放送データは、ＩＧＭＰ（Internet Group Management Protocol）を介して特定のチャンネルのサービスを要請した加入者（加入者側装置）に伝送される。
【００２６】
ＯＬＴ２２０は、８０２．３ａｈプロトコルを介して複数の加入者端末としてのＯＮＵ／ＯＮＴ２３０の登録や管理を制御するとともに、放送サーバからの放送データの伝送及び受信を制御する。特に、本実施形態のＯＬＴ２２０は、加入者別に伝送された放送データを制限的に提供する、すなわち、各加入者が加入した放送チャンネルについての放送データのみを加入者に提供するために、各ユーザがどの放送チャンネルに加入した（契約した）かについての情報がどのようなものであるかに関する情報（加入情報）をユーザ情報として格納する。
【００２７】
また、本実施形態においては、ＯＬＴ２３０が、ユーザの加入情報を格納する方法としては、放送サーバ２００に加入情報を要請（加入情報の出力を要請）した後に、当該放送サーバ２００からのユーザの加入情報を受信して格納するように構成したり、また、ＯＬＴ２３０自体に加入者情報データベースを構築して、当該ユーザの加入情報を格納するように構成することもできる。
【００２８】
なお、前者の場合、すなわち、放送サーバ２００に対して加入情報の出力を要請して、当該加入情報を格納する場合は、放送データの伝送とは別途のチャンネルを備える必要がある。また、加入情報の格納または管理は、別途のＲＡＤＩＵＳサーバを介して実現することができる。また、ＯＮＴのように光加入者装備が宅内に位置する場合、ＯＮＴのＭＡＣアドレスまたはＬＬＩＤ（Logical Link ＩＤ）情報に基づいて加入者の加入情報を格納してもよい。
【００２９】
ＯＮＴ／ＯＮＵ２３０は、８０２．３ａｈプロトコルを用いて外部ネットワークと加入者端末との間のデータを、ＯＬＴ２２０から割り当てられた帯域幅に従って送受信する。また、Ｌ２機能であるＩＧＭＰスヌープ機能を使用して放送サーバ２００から伝送される放送データを管理する。
【００３０】
また、ＯＮＴ／ＯＮＵ２３０と接続されたＩＰセットトップボックス２４０は、家庭やオフィス内のＴＶ（ＴＶ受信器）に接続され、受信した放送データを放送信号に変換する。また、ユーザのチャンネル変更に際し、対応するＯＮＴ／ＯＮＵは、ＩＧＭＰを用いて新たに選択されたチャンネルの画像データを受信し、ＩＰセットトップボックス２４０を介してＴＶやＰＣに伝送する。
【００３１】
以下、図３を参照して、ユーザの加入情報に基づいて、図２に示したイーサネット基盤の受動型光加入者網を介して提供されるＩＰ基盤の放送サービスの処理遷移について説明する。当該図３は、本実施形態の、ＩＧＭＰを用いたＩＰ放送サービスを提供であって、ユーザの加入情報に基づいてサービスを制限するための処理遷移を説明するための図である。
【００３２】
先ず、ＯＬＴ２２０が、ＯＮＵ／ＯＮＴ２３０またはＯＮＵ／ＯＮＴ２３０に接続されているＩＰセットトップボックス２４０の放送サービス加入情報をデータベース化する（ステップＳ３００）。すなわち、ＯＮＵ／ＯＮＴ２３０のＭＡＣアドレスまたは８０２．３ａｈにおいて定義されたＬＬＩＤまたはこれに接続されたＩＰセットトップボックス２４０のＭＡＣアドレスと、ユーザが加入した放送チャンネル情報とをユーザの加入情報として格納する。なお、ユーザの加入情報（放送サービス加入情報）は、図２で説明した格納方法のいずれかを採用して、データベース化された格納される。
【００３３】
その後、ユーザによって放送チャンネルが選択されると、ステップＳ３０２において、ＩＰセットトップボックス２４０は、該当するチャンネル選択メッセージを放送サーバ２００に伝送する。チャンネル選択メッセージを受信したＯＮＵ／ＯＮＴ２３０は、これをＯＬＴ２２０に伝送した後に、ステップＳ３０４において、該当するチャンネル選択メッセージを受信したポートとマルチキャストグループＭＡＣアドレスとをマッピング情報としてマッピングテーブルに格納する。
【００３４】
ＯＮＵ／ＯＮＴ２３０からチャンネル選択メッセージを受信したＯＬＴ２２０は、ステップＳ３０６において、受信したチャンネル選択メッセージとデータベース化された格納されているユーザの加入情報とを比較し、チャンネル選択メッセージを伝送したＩＰセットトップボックスまたはＯＮＵ／ＯＮＴに対して、要請した放送サービスの提供が可能であるか否かを判別する。
【００３５】
ユーザが要請した放送サービスの提供が可能である場合、すなわち、加入者が認証処理を経て承認され、当該放送サービスが提供可能である場合には、ＯＬＴ２２０は、ステップＳ３０８において、放送サーバ２００からの放送データを該当するＯＮＵ／ＯＮＴ２３０に伝送する。一方、該当加入者が認証結処理を経て承認されないために当該放送サービスを提供できない場合には、ＯＬＴ２２０は、受信したチャンネル選択メッセージを廃棄し、ＯＮＵ／ＯＮＴ２３０に対し、当該加入者が認証されないことから要請した放送サービスが利用できない旨を通知する。この通知は、８０２．３ａｈ基盤のＯＡＭフレームに変換された非承認メッセージを当該ＯＮＵ／ＯＮＴ２３０に伝送することにより行われる。
【００３６】
そして、ステップＳ３０８にてＯＬＴ２２０から送られてきたユーザが要請した放送サービスが提供可能である場合の放送データ、又は非承認メッセージを受信したＯＮＵ／ＯＮＴ２３０は、ステップＳ３１０において、これら受信した情報に基づいて、要請された該当する放送データ若しくは非承認メッセージをＩＰセットトップボックス２４０に伝送する。すなわち、本実施形態では、ＯＬＴ２２０から放送データを受信した場合には、当該ＯＮＵ／ＯＮＴ２３０は、ステップＳ３０４においてマッピングテーブルに格納された該当放送データを要請したポート、すなわち、該当ＩＰセットトップボックス２４０に放送データを伝送する。一方、ＯＬＴ２２０から非承認メッセージを受信した場合には、ＯＮＵ／ＯＮＴ２３０は、該当ポートと要請した放送データ情報をマッピングテーブルから削除した後に、加入者が認証されないことにより要請した放送サービスが提供できない旨をＩＰセットトップボックス２４０に通知する。
【００３７】
その後、ＩＰセットトップボックス２４０は、ＯＮＵ／ＯＮＴ２３０から放送データを受信した場合には、受信した放送データからＭＰＥＧ２／４またはＨ．２６４フレームを抽出してデコードし、ＴＶまたはＰＣの放送受信カードに伝送する。一方、ＩＰセットトップボックス２４０がＯＮＵ／ＯＮＴ２３０から非承認メッセージを受信した場合、要請した放送サービスが提供できない旨を通知するデータをＴＶまたはＰＣの放送受信カードに伝送する。なお、当該非承認メッセージは、新たに定義されたメッセージを用いてもよく、既存のように、放送サーバからチャンネル別に認証キーを与えられるときに使用されるメッセージを用いてもよい。
【００３８】
次に、図４を参照してＩＧＭＰを用いたＩＰ基盤の放送サービスを加入者のサービス加入情報に基づいて提供するＯＬＴについての処理過程について説明する。
【００３９】
本実施形態のＯＬＴ２２０は、ステップＳ４００において、加入者別に加入した放送チャンネルがどのようなものであるかに関する情報である加入情報（ユーザ情報）をデータベース化する。なお、上述したようにユーザ情報をデータベース化する方法は、放送データと別途のチャンネルを用いて放送サーバ２００に加入情報の出力を要請して受信した当該加入情報をデータベース化したり、ＯＬＴ２２０自体に加入情報データベースを構築することもでき、また、ユーザの加入情報を管理する別途の認証サーバを介して実現することも可能である。
【００４０】
その後、ＯＬＴ２２０は、ＯＮＵ／ＯＮＴ２３０からチャンネル選択メッセージが受信した場合（ステップＳ４０２）、ステップ４０４に進み、受信したチャンネル選択メッセージとステップＳ４００においてデータベース化されたユーザの加入情報とを比較してチャンネル選択メッセージを伝送したＩＰセットトップボックス２４０に対して要請した放送サービスが提供可能であるか否かを判別する（ステップＳ４０６）。
【００４１】
ステップＳ４０６において、放送サービスを提供可能である場合には、ＯＬＴ２２０は、ステップＳ４０８に進み、要請した放送データを該当するＯＮＵ／ＯＮＴ２３０に伝送する。なお、放送サーバ２００から該当する放送チャンネルに関する放送データを受信していなかった場合は、放送サーバ２００に対して該当する放送データの出力を要請してユーザに伝送する。
【００４２】
一方、ステップＳ４０６において、加入者が認証されなくて要請された放送サービスを提供できない場合には、ＯＬＴ２２０は、受信したチャンネル選択メッセージを廃棄し、ＯＮＵ／ＯＮＴ２３０に要請した放送サービスが提供できない旨を通知するために、８０２．３ａｈ基盤のＯＡＭフレームに変換された非承認メッセージを伝送する。
【００４３】
次に、図５を参照して、ユーザの加入情報（放送サービス加入情報）に基づいたＩＰ基盤の放送サービスを提供するための本実施形態のＯＮＵ／ＯＮＴにおける処理過程を説明する。
【００４４】
図５に示すように、ＯＮＵ／ＯＮＴ２３０は、ステップＳ５００において、ＩＰセットトップボックス２４０からチャンネル選択メッセージを受信すると、ステップＳ５０２に進み、チャンネル選択メッセージを受信したポートとマルチキャストグループＭＡＣアドレスとをマッピング情報としてマッピングテーブルに格納する。また、受信したチャンネル選択メッセージをＯＬＴ２２０に伝送する。
【００４５】
その後、ステップＳ５０４に進み、ＯＮＵ／ＯＮＴ２３０がＯＬＴ２２０から放送データを受信すると、ステップＳ５１０に進み、受信した放送データをマッピングテーブルに基づいてチャンネル選択メッセージを伝送した該当ポートに放送データを伝送する。
【００４６】
一方、ステップＳ５０４において、ＯＮＵ／ＯＮＴ２３０がＯＬＴ２２０から非承認メッセージを受信すると、ステップＳ５０６に進み、該当ポートと要請した放送データ情報をマッピングテーブルから削除する。その後、ステップＳ５０８に進み、ＯＮＵ／ＯＮＴ２３０は、ＩＰセットトップボックス２４０に要請された放送サービスが提供できない旨を通知する。
【００４７】
以上のように、本実施形態の受動型光加入者網を介してＩＰ基盤放送サービスを提供するシステムは、ユーザの加入情報に基づいて、ユーザが加入した放送チャンネルに対してのみ放送サービスを提供可能になる。
【００４８】
また、具体的な本発明の好適な実施形態に即して説明したが、本発明の範囲を逸脱しない限り、種々の変形が可能である。例えば、イーサネット基盤の受動型光加入者網において加入者別に放送サービスを制限できることを実施の形態として挙げているが、上記のような方法は、イーサネット基盤の受動型光加入者網だけではなく、ＡＴＭ、ＷＤＭなどにより構成されるあらゆる受動型光加入者網に適用可能である。したがって、本発明の技術的な範囲は、上述の実施形態に限定されるものではなく、特許請求の範囲の記載及びその等価なものに基づいて定められるべきである。
【図面の簡単な説明】
【００４９】
【図１】従来のＩＧＭＰを用いたＩＰ基盤の放送サービスを提供に係る処理遷移を説明するための図である。
【図２】本発明の好適な実施形態のイーサネット受動型光加入者網を示す図である。
【図３】本発明の好適な実施形態のＩＧＭＰと放送サービス加入情報とを用いたＩＰ基盤の放送サービスの提供に係る処理遷移を説明するための図である。
【図４】本発明の好適な実施形態のＯＬＴにおける処理フローを説明するためのフローチャートである。
【図５】本発明の好適な実施の形態のＯＮＵ／ＯＮＴにおける処理フローを説明するためのフローチャートである。
【符号の説明】
【００５０】
２００  放送サーバ
２０２  ＩＰネットワーク
２１０  ルータ
２５０  光分配器
【図１】
2006238433.tif 000003
【図２】
2006238433.tif 000004
【図３】
2006238433.tif 000005
【図４】
2006238433.tif 000006
【図５】
2006238433.tif 000007